(57)【要約】【課題】現在又は過去に発生した出来事に対する国や地域ごとの認識を容易に知得することのできる情報提供システムを提供する。【解決手段】世界のいずれかの国または地域において現在または過去に発生した出来事に対し、異なった国または地域ごとの解釈、見解、評論等に基づく認識により作成された認識情報を含む出来事情報を出来事情報記憶部１１に記憶するとともに、出来事情報記憶部１１に記憶されている出来事の中から任意の出来事を選択すると、選択された出来事の出来事情報を国または地域ごとに出力するようにしたので、出来事に対する国や地域ごとの認識を容易に知得することができる。これにより、出来事に対するそれぞれの認識を尊重し、認識の違いがあることを前提としながら意見交換をすることにより、他国の人と交流する際、歴史等に対する認識の違いから生ずる意見の食い違いを生じないようにすることができる。【選択図】図１
2017009719.tif 000002
【特許請求の範囲】
【請求項１】
世界のいずれかの国または地域において現在または過去に発生した出来事に対し、異なった国または地域ごとの解釈、見解、評論等に基づく認識により作成された認識情報を含む出来事情報を利用者に提供する情報提供システムであって、
前記出来事情報を記憶する出来事情報記憶手段と、
出来事情報記憶手段に記憶されている出来事情報のうちの任意の出来事を選択する出来事選択手段と、
出来事選択手段によって選択された出来事の出来事情報を国または地域ごとに出力する出来事情報出力手段とを備えた
ことを特徴とする情報提供システム。
【請求項２】
前記出来事情報を得ようとする国または地域を選択する国・地域選択手段を備え、
前記出来事情報出力手段は、前記出来事選択手段によって選択された出来事の中から国・地域選択手段によって選択された国または地域の出来事情報を出力する
ことを特徴とする請求項１記載の情報提供システム。
【請求項３】
前記国・地域選択手段は複数の国または地域を選択可能に構成され、
前記出来事情報出力手段は、国・地域選択手段によって選択された複数の国または地域の出来事情報を同一画面上に表示する
ことを特徴とする請求項１または２記載の情報提供システム。
【請求項４】
複数種類の言語の中から任意の言語を選択する言語選択手段を備え、
前記出来事情報記憶手段は言語ごとに作成された出来事情報を記憶しており、
前記出来事情報出力手段は、言語選択手段によって選択された言語の出来事情報を出力する
ことを特徴とする請求項１、２または３記載の情報提供システム。
【請求項５】
前記出来事情報を利用者から提供される提供情報として入力可能な提供情報入力手段を備え、
利用者によって入力された提供情報を前記出来事情報記憶手段に新たな出来事情報として記憶可能に構成した
ことを特徴とする請求項１、２、３または４記載の情報提供システム。
【請求項６】
前記利用者によって入力された提供情報を記憶する提供情報記憶手段と、
提供情報記憶手段に記憶されている提供情報のうち前記出来事情報記憶手段に新たな出来事情報として追加する提供情報を選択する提供情報選択手段とを備え、
提供情報選択手段によって選択された提供情報を新たな出来事情報として出来事情報記憶手段に記憶するように構成した
ことを特徴とする請求項５記載の情報提供システム。
【請求項７】
前記出来事に関する問題及びその解答を記憶した出題情報記憶手段と、
出題情報記憶手段の問題を出題する出題手段と、
出題された問題に対する解答を入力する解答入力手段と、
解答入力手段によって入力された解答の正誤判定を行う正誤判定手段とを備えた
ことを特徴とする請求項１、２、３、４、５または６記載の情報提供システム。
【発明の詳細な説明】
【技術分野】
【０００１】
本発明は、世界のいずれかの国または地域において現在または過去に発生した出来事について、国や地域ごとに異なる認識を知得するための情報提供システムに関するものである。
【背景技術】
【０００２】
世界のいずれかの国または地域において現在または過去に発生した出来事、例えば戦争、重大な事件や事故、災害、偉業等については、学校等の教育現場、新聞やテレビ等の報道、書籍等により、その国の解釈、見解、評論等に基づく一定の認識が示されている。
【０００３】
一方、歴史上の出来事や、現在起こっている社会問題等の出来事に対する認識は国や地域によって違いがあり、このような認識の違いは、出来事の当事国か否か、宗教や文化の相違、国の情勢や環境、出来事に対する情報の質や量等により、認識を形成する要因が国や地域ごとに異なるために生ずるものと考えられる。
【０００４】
しかしながら、歴史や社会問題に対する認識が国や地域によって異なるにもかかわらず、学校教育や文献その他の情報の下では、自分の国の意見や解釈しか知らないことが多い。このため、国際化が盛んな近時においては、他国の人と交流する際、歴史等に対する認識の違いから意見の食い違いが生じたり、場合によっては双方の意見が対立して口論になるなど、外国人との親交が阻害されることがある。
【０００５】
また、ヨーロッパ諸国の歴史認識の統一を図る目的で、ヨーロッパ１３カ国の歴史家によって「欧州共通教科書」という書籍が編纂され、日本語を含む１２カ国語に翻訳されている（非特許文献１参照）。
【先行技術文献】
【非特許文献】
【０００６】
【非特許文献１】フレデリック・ドルーシュ総合編集「第２版  ヨーロッパの歴史  欧州共通教科書」東京書籍
【発明の概要】
【発明が解決しようとする課題】
【０００７】
しかしながら、前記「欧州共通教科書」は頁数が多く、広く一般に普及させるのは容易でなく、しかも一度出版すると再版が困難であるため、最新情報への更新が遅れるという欠点がある。
【０００８】
また、文献上は歴史認識の統一を図ったとしても、少数意見が反映されないことから、統一化された認識が必ずしも多くの人に受け入れられるとは限らない。むしろ、それぞれの認識を尊重し、認識の違いがあることを前提としながら意見交換をすれば、国や地域ごとの認識を理解することができ、国際交流にも資するものと考えられる。
【０００９】
本発明は前記問題点に鑑みてなされたものであり、その目的とするところは、現在又は過去に発生した出来事に対する国や地域ごとの認識を容易に知得することのできる情報提供システムを提供することにある。
【課題を解決するための手段】
【００１０】
本発明は前記目的を達成するために、世界のいずれかの国または地域において現在または過去に発生した出来事に対し、異なった国または地域ごとの解釈、見解、評論等に基づく認識により作成された認識情報を含む出来事情報を提供する情報提供システムであって、前記出来事情報を記憶する出来事情報記憶手段と、出来事情報記憶手段に記憶されている出来事情報のうち任意の出来事を選択する出来事選択手段と、出来事選択手段によって選択された出来事の出来事情報を国または地域ごとに出力する出来事情報出力手段とを備えている。
【００１１】
これにより、ある出来事に対し、異なった国または地域ごとの認識により作成された認識情報を含む出来事情報が出来事情報記憶部に記憶されるとともに、出来事情報記憶部に記憶されている出来事の中から任意の出来事を選択すると、選択された出来事の出来事情報が国または地域ごとに出力されることから、出来事に対する国や地域ごとの認識を容易に知得することが可能となる。
【発明の効果】
【００１２】
本発明によれば、出来事に対する国や地域ごとの認識を容易に知得することができるので、出来事に対するそれぞれの認識を尊重し、認識の違いがあることを前提としながら意見交換をすることにより、他国の人と交流する際、歴史等に対する認識の違いから生ずる意見の食い違いを生じないようにすることができる。また、ある出来事に対して国や地域が異なれば認識にも違いがあることを自ら学ぶことができるので、国際社会で役立つグローバルな視点を身につけることができる。
【図面の簡単な説明】
【００１３】
【図１】本発明の第１の実施形態を示す情報提供システムの構成図
【図２】言語選択画面を示す図
【図３】出来事選択画面を示す図
【図４】国・地域選択画面を示す図
【図５】出来事情報出力画面を示す図
【図６】本発明の第２の実施形態を示す国・地域選択画面の図
【図７】第１の出来事情報出力画面を示す図
【図８】第２の出来事情報出力画面を示す図
【図９】本発明の第３の実施形態を示す情報提供システムの構成図
【図１０】作業選択画面を示す図
【図１１】出来事情報入力画面を示す図
【図１２】提供情報出力画面を示す図
【図１３】本発明の第４の実施形態を示す国・地域選択画面を示す図
【図１４】作業選択画面を示す図
【図１５】出題画面を示す図
【図１６】判定結果出力画面を示す図
【図１７】本発明の第５の実施形態を示す作業選択画面の図判定結果出力画面を示す図
【発明を実施するための形態】
【００１４】
図１乃至図５は本発明の第１の実施形態を示すもので、世界のいずれかの国または地域において現在または過去に発生した出来事について、国や地域ごとに異なる認識を知得するための情報提供システムを示すものである。
【００１５】
本実施形態の情報提供システムは、インターネット１に接続されたサーバ１０と、本システムを利用する利用者が所持する利用者端末２０と、本システムの管理者が所持する管理者端末３０とを備え。利用者端末２０及び管理者端末３０は、それぞれインターネット１を介してサーバ１０に接続可能になっている。
【００１６】
サーバ１０は、世界のいずれかの国または地域において現在または過去に発生した出来事に対し、異なった国または地域ごとの解釈、見解、評論等に基づく認識により作成された認識情報を含む出来事情報を記憶する出来事情報記憶部１１を備え、出来事情報記憶部１１はサーバ１０に備わる記憶装置によって構成されている。
【００１７】
出来事情報記憶部１１は、出来事情報ごとに、言語、出来事名、国名・地域名、認識情報、画像情報、出来事の発生年月日、参考記事情報等の情報を記憶しており、出来事情報は複数種類の言語によって作成されている。言語の情報としては、例えば日本語、英語、フランス語、スペイン語、アラビア語、中国語、韓国語、ロシア語、ポルトガル語、ドイツ語など、その出来事情報が作成された言語が記憶されている。出来事名の情報としては、例えば、「月面着陸」、「東日本大震災」、「アメリカ同時多発テロ」など、その出来事の一般的なタイトルが記憶されている。出来事の発生年月日の情報としては、例えば「２０１１／０５／１２」など、ソート可能な日付データが記憶されている。国名・地域名の情報としては、日本、アメリカ、中国、ヨーロッパ、東南アジアなど、出来事の認識が示された国名または地域名が記憶されている。認識情報としては、例えば「月面着陸は、・・・・・・。」のように、出来事に対してその国または地域の解釈、見解、評論等に基づいて作成された認識が文字情報により記憶されている。画像情報としては、出来事の場面、人物、資料等の写真や図画など、その出来事に関連する画像データが記憶されている。参考記事情報としては、インターネット上に公開されている新聞記事、論評、文献、インターネット百科事典など、出来事情報に関連する参考記事情報にインターネットを介してアクセス可能な情報（リンクやＵＲＬ等）が記憶されている。
【００１８】
利用者端末２０は、スマートフォン、タブレット、携帯電話機、パーソナルコンピュータ等、インターネットに接続可能な通信端末機からなり、各種の情報や操作部を画面に表示するようになっている。利用者端末２０には、予め設定された複数種類の言語の中から任意の言語を選択する言語選択部２１と、出来事情報記憶部１１に記憶されている出来事の中から任意の出来事を選択する出来事選択部２２と、出来事情報を得ようとする国または地域を選択する国・地域選択部２３と、出来事選択部２２によって選択された出来事の中から国・地域選択部２３によって選択された国または地域の出来事情報を出力する出来事情報出力部２４とを有するプログラムが格納されている。これら言語選択部２１、出来事選択部２２、国・地域選択部２３及び出来事情報出力部２４は、後述するように利用者端末２０の表示画面に言語選択画面、出来事選択画面、国・地域選択画面及び出来事情報出力画面をそれぞれ表示するようになっている。
【００１９】
管理者端末３０は、パーソナルコンピュータ等のインターネットに接続可能な通信端末機からなり、モニタからなる画面表示装置（図示省略）と、キーボードやマウスからなる入力装置（図示省略）とを備えている。管理者端末３０には、出来事情報記憶部１１に記憶される出来事情報を入力する出来事情報入力部３１を備えたプログラムが格納されている。出来事情報入力部３１は、管理者が出来事情報としての言語、出来事名、国名・地域名、認識情報、画像情報、出来事の発生年月日、参考記事情報等の情報を入力し、これらの入力情報をインターネットを介してサーバ１０に送信するようになっている。出来事情報入力部３１によって送信された出来事情報は、サーバ１０の出来事情報記憶部１１に記憶される。また、出来事情報入力部３１は、出来事情報記憶部１１に記憶されている既存の出来事情報を読み出し、出来事情報の修正や追加等の編集ができるようになっている。
【００２０】
以上のように構成された情報提供システムにおいては、利用者端末２０で本システムのプログラムを起動すると、図２に示す言語選択画面が利用者端末２０の表示画面に表示される。言語選択画面には予め設定された複数の言語に対応する複数の言語選択ボタン２１ａが表示され、任意の言語選択ボタン２１ａを選択すると、その言語の言語情報が記憶された出来事情報が抽出され、図３に示す出来事選択画面が表示される。出来事選択画面には、言語選択画面で選択された言語の出来事情報に対応する複数の出来事選択ボタン２２ａが表示される。その際、出来事選択ボタン２２ａを、出来事情報の国・地域情報に基づいて国・地域ごとに分類して表示したり、出来事情報の発生年月日情報に基づいて出来事が発生した年月日順に時系列に配列するようにしてもよい。次に、任意の出来事選択ボタン２２ａを選択すると、その出来事の出来事名情報が記憶された出来事情報が抽出され、図４に示す国・地域選択画面が表示される。国・地域選択画面には、出来事選択画面で選択された出来事に対応する複数の国・地域選択ボタン２３ａが表示され、任意の国・地域の選択ボタン２３ａを選択すると、その国・地域情報が記憶された出来事情報が抽出され、図５に示す出来事情報出力画面が表示される。出来事情報出力画面には、その出来事情報の認識情報を表示する認識情報表示部２４ａ、画像情報を表示する画像情報表示部２４ｂ、参考記事情報を表示するための複数の参考記事情報選択部２４ｃが表示される。これにより、例えば「月面着陸」の出来事に対し、例えば日本、アメリカ、中国の認識を出来事情報の認識情報によって知得することにより、「月面着陸」に対する日本、アメリカ、中国の認識の違いを把握することができる。各参考記事情報選択部２４ｃはそれぞれ参考記事Ａ〜Ｃを選択するようになっており、例えば参考記事Ａの参考記事情報選択部２４ｃを選択すると、インターネット上に公開されている特定の新聞社の記事を掲載したページが画面上に表示されるようになっている。また、出来事情報出力画面上の「戻る」と表示された実行ボタン２４ｄを選択すると、国・地域選択画面に戻る。
【００２１】
このように、本実施形態によれば、世界のいずれかの国または地域において現在または過去に発生した出来事に対し、異なった国または地域ごとの解釈、見解、評論等に基づく認識により作成された認識情報を含む出来事情報を出来事情報記憶部１１に記憶するとともに、出来事情報記憶部１１に記憶されている出来事の中から任意の出来事を選択すると、選択された出来事の出来事情報を国または地域ごとに出力するようにしたので、出来事に対する国や地域ごとの認識を容易に知得することができる。これにより、出来事に対するそれぞれの認識を尊重し、認識の違いがあることを前提としながら意見交換をすることにより、他国の人と交流する際、歴史等に対する認識の違いから生ずる意見の食い違いを生じないようにすることができる。また、ある出来事に対して国や地域が異なれば認識にも違いがあることを自ら学ぶことができるので、国際社会で役立つグローバルな視点を身につけることができる。
【００２２】
また、出来事選択部２２よって出来事を選択した後、出来事情報を得ようとする国または地域を国・地域選択部２３によって選択すると、その国または地域の出来事情報が出力されるようにしたので、出来事に対する認識を知りたい国または地域の出来事情報を速やかに表示することができる。
【００２３】
更に、出来事情報記憶部１１に複数種類の言語で作成された出来事情報を記憶し、言語選択部２１によって任意の言語が選択されると、その言語の出来事情報を出力するようにしたので、使用言語の異なる複数の国の人が利用することができ、本システムの利用をより多くの国に普及させることができる。
【００２４】
尚、前記実施形態では、国・地域選択部２３により、国名または地域名を表示した複数の国・地域選択ボタン２３ａを配列するようにしたものを示したが、例えば大陸や国ごとに色分けされた世界地図を表示し、世界地図上で大陸や国の部分をタップまたはクリックして選択することにより、国や地域を選択するようにしてもよい。
【００２５】
図６乃至図８は本発明の第２の実施形態を示すもので、前記第１の実施形態と同等の構成部分には同一の符号を付して示す。また、以下に説明する部分以外は前記第１の実施形態と同等であるので説明を省略する。
【００２６】
前記第１の実施形態では、国・地域選択部２３により、国または地域を一つ選択すると、その国または地域の出来事情報を表示するようにしたものを示したが、本実施形態では、国・地域選択部２３が複数の国または地域を選択可能に構成され、それらの出来事情報を出来事情報出力部２４によって同一画面上に表示するようになっている。
【００２７】
即ち、本実施形態の国・地域選択部２３は、国・地域選択画面において、図６に示すように任意の国・地域選択ボタン２３ａを選択すると、その国・地域選択ボタン２３ａに選択マーク２３ｂが表示され、他の国・地域選択ボタン２３ａを選択すると、更にその国・地域選択ボタン２３ａに選択マーク２３ｂが表示される。このようにして複数の国・地域選択ボタン２３ａを選択した後、「次へ」と表示した実行ボタン２３ｃを選択すると、図７に示す第１の出来事情報出力画面が表示される。第１の出来事情報出力画面では、出来事情報のうちの国名・地域名情報と認識情報のみを表示する４つの表示部２３ｄが表示される。各表示部２３ｄは画面の上下左右に配列され、各表示部２３ｄには前画面で選択された国または地域の国名・地域名情報と認識情報がそれぞれ表示される。その際、国または地域の選択数が３つ以下の場合は、選択数に応じて一画面に１〜３つの表示部２３ｄが表示され、国または地域の選択数が５つ以上の場合は、各表示部２３ｄが複数ページに亘って４つずつ表示される。また、任意の表示部２３ｄをタップまたはクリックすると、その表示部２３ｄのみの出来事情報を表示する第２の出来事情報出力画面が表示される。第２の出来事情報出力画面では、図８に示すように前記第１の実施形態の出来事情報出力画面と同様の画面が表示され、認識情報表示部２４ａ、画像情報表示部２４ｂ、参考記事情報選択部２４ｃが表示される。また、第２の出来事情報出力画面上の「戻る」と表示された実行ボタン２４ｄを選択すると、第１の出来事情報出力画面に戻る。
【００２８】
このように、本実施形態によれば、国・地域選択部２３によって複数の国または地域を選択し、それらの出来事情報の認識情報を表示する複数の表示部２３ｄを同一の画面上に表示するようにしたので、複数の国または地域の認識情報を同一画面上で同時に閲覧することができ、複数の国または地域ごとの認識の比較を容易に行うことができる。
【００２９】
尚、前記第２の実施形態では、各表示部２３ｄに出来事情報のうちの国名・地域名情報と認識情報のみを表示するようにしたものを示したが、タブレットやパーソナルコンピュータ等のように表示画面の大きい端末機であれば、表示部２３ｄに図８に示す第２の出来事情報出力画面と同様、画像情報及び参考記事情報選択部を表示するようにしてもよい。
【００３０】
図９乃至図１２は本発明の第３の実施形態を示すもので、前記第１の実施形態と同等の構成部分には同一の符号を付して示す。また、以下に説明する部分以外は前記第１の実施形態と同等であるので説明を省略する。
【００３１】
本実施形態では、前記第１の実施形態の構成に加え、利用者が作成した出来事情報を本システムに提供可能なように構成されている。
【００３２】
即ち、本実施形態のサーバ１０は、前記第１の実施形態の構成に加え、利用者から提供される出来事情報を記憶する提供情報記憶部１２を備え、提供情報記憶部１２はサーバ１０に備わる記憶装置によって構成されている。
【００３３】
提供情報記憶部１２は、利用者端末２０からインターネットを介して送信された出来事情報を出来事情報記憶部１１と同様のデータ構成で記憶するようになっている。提供情報記憶部１２に記憶された提供情報は、出来事情報記憶部１１に追加する出来事情報として管理者端末３０によって選択されると、出来事情報記憶部１１に記憶されるようになっている。
【００３４】
利用者端末２０は、前記第１の実施形態の構成に加え、利用者が出来事情報としての提供情報を入力可能な提供情報入力部２５を有するプログラムを格納している。
【００３５】
管理者端末３０は、前記第１の実施形態の構成に加え、提供情報記憶部１２に記憶された提供情報を出力する提供情報出力部３２と、その提供情報を出来事情報として出来事情報記憶部１１に追加するか否かを選択する提供情報選択部３３とを有するプログラムを格納している。
【００３６】
本実施形態では、利用者端末２０で本システムのプログラムを起動すると、図２と同様の言語選択画面が表示され、言語選択画面で任意の言語選択ボタン２１ａを選択すると、図１０に示す作業選択画面が利用者端末２０の表示画面に表示される。作業選択画面では、「出来事情報表示モード」のモード選択ボタン２０ａと、「出来事情報提供モード」のモード選択ボタン２０ｂが表示され、「出来事情報表示モード」のモード選択ボタン２０ａを選択すると、前記第１の実施形態の言語選択画面が表示され、第１の実施形態の動作に移行する。また、「出来事情報提供モード」のモード選択ボタン２０ｂを選択すると、図１１に示す提供情報情報入力画面が利用者端末２０の表示画面に表示される。提供情報入力画面では、管理者端末３０の出来事情報入力部３１により入力される出来事情報の項目と同様、言語、出来事名、国名または地域名、認識情報、画像情報、出来事の発生年月日、参考記事情報を提供情報として入力する提供情報入力欄２５ａが表示されるようになっている。提供情報入力欄２５ａに入力された情報は、提供情報入力画面の「送信」の実行ボタン２５ｂを選択すると、インターネットを介してサーバ１０に送信され、サーバ１０の提供情報記憶部１２に記憶される。
【００３７】
管理者端末３０では、図１２に示す提供情報出力画面が管理者端末３０の表示画面に出力される。提供情報出力画面では、利用者端末２０の提供情報入力部２５により入力された出来事情報の項目として、言語、出来事名、国名または地域名、認識情報、画像情報、出来事の発生年月日、参考記事情報を提供情報として出力する提供情報出力欄３２ａが表示されるようになっている。管理者は、提供情報出力欄３２ａの提供情報の内容を表示画面上で確認し、その提供情報を本システムの出来事情報として採用するか否かを判断し、採用する場合は表示画面上の「採用」実行ボタン３２ｂを選択する。これにより、提供情報記憶部１２に記憶されている提供情報のうち、採用された提供情報が出来事情報記憶部１１に記憶され、出来事情報記憶部１１に新たな出来事情報として追加される。
【００３８】
このように、本実施形態によれば、利用者が利用者端末２０の提供情報入力部２５によって出来事情報としての提供情報を入力すると、その提供情報がサーバ１０の提供情報記憶部１２に記憶され、その提供情報が管理者端末３０の提供情報選択部３３により選択されると、新たな出来事情報として出来事情報記憶部１１に追加するようにしたので、管理者側が作成した出来事情報のみならず、利用者が作成した出来事情報を蓄積することができる。この場合、利用者の提供情報のうち管理者が採用した情報のみが出来事情報として追加されるので、出来事情報を質、量ともに充実させることができる。
【００３９】
図１３乃至図１６は本発明の第４の実施形態を示すもので、前記第１の実施形態と同等の構成部分には同一の符号を付して示す。また、以下に説明する部分以外は前記第１の実施形態と同等であるので説明を省略する。
【００４０】
本実施形態では、前記第１の実施形態の構成に加え、出来事に関する問題を出題し、利用者が解答する出題機能を備えている。
【００４１】
即ち、本実施形態のサーバ１０は、前記第１の実施形態の構成に加え、出来事に関する問題及びその解答を記憶した出題情報記憶部１３を備え、提供情報記憶部１３はサーバ１０に備わる記憶装置によって構成されている。
【００４２】
利用者端末２０は、前記第１の実施形態の構成に加え、出題情報記憶部１３の問題を出題する出題部２６と、出題された問題に対して解答を入力する解答入力部２７と、解答入力部２７によって入力された解答の正誤判定を出題情報記憶部１３の解答に基づいて行う正誤判定部２８とを有するプログラムを格納している。
【００４３】
本実施形態では、利用者端末２０で本システムのプログラムを起動すると、図２と同様の言語選択画面が表示され、言語選択画面で任意の言語選択ボタン２１ａを選択すると、図１４に示す作業選択画面が利用者端末２０の表示画面に表示される。作業選択画面では、「出来事情報表示モード」のモード選択ボタン２０ａと、「出題モード」のモード選択ボタン２０ｃが表示され、「出来事情報表示モード」のモード選択ボタン２０ａを選択すると、前記第１の実施形態の言語選択画面が表示され、第１の実施形態の動作に移行する。また、「出題モード」のモード選択ボタン２０ｃを選択すると、図１５に示す出題画面が利用者端末２０の表示画面に表示される。出題画面では、出題情報記憶部１３の問題を表示する問題表示部２６ａと、その問題に対する複数の選択肢を表示する複数の選択肢表示部２７ａが表示される。問題表示部２６ａには、出来事に関する出題情報として、例えば問題「アメリカのアポロ１１号が月面に着陸した日は？」が表示され、各選択肢表示部２７ａには、例えば「１９６９年７月２０日」、「１９６９年８月２０日」、「１９６８年７月２０日」が表示される。ここで、問題に対する解答として、いずれかの選択肢表示部２７ａをタップまたはクリックして選択すると、解答入力部２７に解答が入力され、その解答の正誤が正誤判定部２８により判定されるとともに、図１６の判定結果出力画面が表示される。判定結果出力画面では、例えば「正解」、「不正解」を表示した正誤判定結果表示部２８ａが表示される。次に、判定結果出力画面の「次の問題」の実行ボタン２８ｂを選択すると、出題画面に戻って他の問題が出題され、判定結果出力画面の「終了」の実行ボタン２８ｃを選択すると、作業選択画面に戻る。
【００４４】
このように、本実施形態によれば、出来事に関する問題及びその解答を記憶した出題情報記憶部１３を備え、利用者端末２０において、出題情報記憶部１３の問題を出題するとともに、出題された問題に対して解答を入力し、解答の正誤判定の結果を表示するようにしたので、出来事に関する問題演習をすることができる。これにより、「出来事情報表示モード」で出来事に対する国や地域の認識の違いを学ぶとともに、「出題モード」で出来事に関する知識を高めることもできる。
【００４５】
尚、前記第３の実施形態では、第１の実施形態の出来事表示モードに出来事提供モードを加えたものを示し、前記第４の実施形態では、第１の実施形態に出題モードを加えたものを示したが、第１の実施形態の出来事表示モードに第３の実施形態の出来事提供モードと第４の実施形態の出題モードの両方を加えるようにしてもよい。この場合、利用者端末３０の作業選択画面には、図１７の第５の実施形態に示すように「出来事表示モード」、「出来事提供モード」及び「出題モード」の各モード選択ボタン２０ａ，２０ｂ，２０ｃが表示される。
【符号の説明】
【００４６】
１０…サーバ、１１…出来事情報記憶部、１２…提供情報記憶部、１３…出題情報記憶部、２０…利用者端末、２１…言語選択部、２２…出来事選択部、２３…国・地域選択部、２４…出来事情報出力部、２５…提供情報入力部、３０…管理者端末、３１…出来事情報入力部、３２…提供情報出力部、３３…提供情報選択部。
【図１】
2017009719.tif 000003
【図２】
2017009719.tif 000004
【図３】
2017009719.tif 000005
【図４】
2017009719.tif 000006
【図５】
2017009719.tif 000007
【図６】
2017009719.tif 000008
【図７】
2017009719.tif 000009
【図８】
2017009719.tif 000010
【図９】
2017009719.tif 000011
【図１０】
2017009719.tif 000012
【図１１】
2017009719.tif 000013
【図１２】
2017009719.tif 000014
【図１３】
2017009719.tif 000015
【図１４】
2017009719.tif 000016
【図１５】
2017009719.tif 000017
【図１６】
2017009719.tif 000018
【図１７】
2017009719.tif 000019